(57)【要約】【課題】  より係合力の強い面ファスナーを提供することを目的とするものである。【解決手段】  基材３の基材面に複数の係合素子４が設けられた面ファスナー１において、係合素子４の茎部の形状が略直線であり、係合素子４が設けられた基材面に対して６０〜８５度の角度に傾斜しするように係合素子４を設ける。好ましい一形態としては、係合素子４同士はすべて平行に揃えるのではなく、相互に交差するように傾斜させる。また、係合素子４の頭部は膨頭状などの係頭部４ａを形成してもよい。【選択図】        図１
2005185349.tif 000002
【特許請求の範囲】
【請求項１】
基材の基材面に複数の係合素子が設けられた面ファスナーであって、
基材面に設けられた係合素子が、係合素子の茎部が略直線形状であり、係合素子が設けられた基材面に対して６０〜８５度の角度に傾斜している面ファスナー。
【請求項２】
係合素子の一端部に係頭部が設けられた、請求項１に記載の面ファスナー。
【請求項３】
基材面に設けられた係合素子の７０〜１００％が、係合素子の茎部の形状が略直線であり、係合素子が設けられた基材面に対して６０〜８５度の角度に傾斜している請求項１または２に記載の面ファスナー。
【発明の詳細な説明】
【技術分野】
【０００１】
本発明は、面ファスナーに関し、より詳しくは、係合力の優れた面ファスナーに関するものである。
【背景技術】
【０００２】
面ファスナーは、複数回の貼り合わせおよび剥離が可能であり、使用の簡便性などにおて優れた係合手段である。面ファスナーの係合性は、主に用途によって様々な状態のものが求められる。面ファスナーの係合性は、一般に基材面から突起した係合素子の形状や密度などにより調整される。
【０００３】
従来の面ファスナーの一例を図５および６に示す。図５には、２種の面ファスナーの側面図を示している。それぞれの基材には複数の係合素子が設けられ、相互に押圧して貼り合わせることができる一方、双方を剥離させることができる。一方が雄面ファスナー１００、他方が雌面ファスナー２００となっている。
【０００４】
図５および６に示すように、雄面ファスナー１００には、シート状の基材３００の基材面に対し鉛直方向に起立して設けられた係合素子４００が多数設けられている。図６に示すように、雄面ファスナー１００に設けられた係合素子４００は、シート状の基材３００から起立して成る茎部４２０と端部に設けられた膨頭部４１０とからなる。シート状の基材３００は織布からなり、係合素子４００は基材を構成する繊維（不図示）に織り込まれて形成されている。また、図５に示すように、雌面ファスナー２００の基材３００の基材面にはループ状の係合素子５００が多数設けられている。雄面ファスナーの係合素子４００と雌面ファスナー２００の係合素子５００とがかみ合って、雄面ファスナー１００と雌面ファスナー２００とを押圧して貼り合わせて固定することができる一方、両者を剥がすこともできる。
【０００５】
面ファスナーは、貼り合わせおよび剥離が簡便である一方で、例えば敷設時の、人工芝のジョイント、土木の補強工事、シートの固定など、固定性が重要なポイントとなる場合がある。
【０００６】
また、係合解除時の音を抑制する目的で、係合素子を一方向にのみ斜めに植設したものが知られている（例えば、特許文献１）。
【０００７】
【特許文献１】特開平７−１２４００４号公報
【発明の開示】
【発明が解決しようとする課題】
【０００８】
本発明は、より係合力の強い面ファスナーを提供することを目的とするものである。
【課題を解決するための手段】
【０００９】
上記目的を達成するために、本発明においては、基材面に対する係合素子の角度、形状および係合素子同士の位置関係について所定の手段を採用したものである。すなわち、本発明は下記、面ファスナーを提供する。
【００１０】
本発明は、基材の基材面に複数の係合素子が設けられた面ファスナーであって、基材面に設けられた係合素子が、係合素子の茎部が略直線形状であり、係合素子が設けられた基材面に対して６０〜８５度の角度に傾斜している面ファスナーを提供する。上記のような係合素子を備えた面ファスナーは、第１の基材面と第２の基材面とを貼り合わせたときの係合力が強く、固定性や安定性を重視した係合箇所に好適に用いることができる。
【００１１】
また、本発明は、上記面ファスナーにおいて、係合素子の一端部に係頭部が設けられた面ファスナーを提供する。係頭部が設けられることにより、より係合力の強い面ファスナーとすることができる。
【００１２】
さらに、本発明は、上記面ファスナーにおいて、基材面に設けられた係合素子の７０〜１００％が、係合素子の茎部の形状が略直線であり、係合素子が設けられた基材面に対して６０〜８５度の角度に傾斜しており、隣り合う何れか一対の係合素子同士が交差するように設けられた係合素子である、面ファスナーを提供する。上記のような特徴を有する係合素子の基材面における密度を７０〜１００％とすることにより、係合力により優れた面ファスナーとすることができる。
【００１３】
本発明の面ファスナーは、面ファスナーの一般的用途に適用し得る。例えば、本発明の面ファスナーを第１の面ファスナーとし、また他の面ファスナーを第２の面ファスナーとして、第１および第２の面ファスナーの係合素子が備えられた面同士を押圧して張り合わせ、両者を固定することができ、両者を引き剥がすこともできる。また、１つの基材の一方第１のファスナー面とし、他方の面を第２のファスナー面としてもよい。また、本発明の面ファスナーは、取り付ける相手方に限定はなく、例えば、相手方は本発明と同種の係合素子を有する面ファスナーであっても、他形状の係合素子を有する面ファスナーであってもよい。さらに、相手方はいわゆる面ファスナー以外であっても、係合素子が係合し得るものに対しては、相手方として限定なく用いることができる。
【００１４】
本発明の面ファスナーは製造方法に限定されるものではなく、また、製造方法は従来の面ファスナーの製法によって製造することが可能である。
【発明の効果】
【００１５】
本発明により、係合力に優れた面ファスナーが提供される。
【発明を実施するための最良の形態】
【００１６】
以下に、本発明に係る面ファスナーの実施形態を例示する。本発明は下記実施形態に限定されるものではない
【００１７】
［第１の実施形態］
第１の実施形態について、図１、２および３に沿って説明する。
図１は第１の実施形態の面ファスナー１の側面図である。シート状の基材３に係合素子４が多数設けられている。なお、図１では、係合素子は一列のみ表示し、奥に並列する係合素子は省略している。
【００１８】
図２は、係合素子の部分を拡大して示す図である。シート状の基材３は織布で形成され、係合素子４は基材３に織り込まれて、２つの係合素子４１および４２が形成されている。面ファスナー１では、この係合素子４１および４２の組み合わせが多数設けられて構成されている。
【００１９】
係合素子４はその茎部４ｂの形状が略直線状であり、また基材面に対して茎部４ｂが傾斜して設けられており、その傾斜角度αは好ましくは、６０〜８５度、より好ましくは６５〜７７度、さらに好ましくは約７０度である。このような傾斜角をもたせることにより、面ファスナーの係合力を向上させることができる。
【００２０】
また、本実施形態においては、複数の係合素子４のそれぞれの傾斜方向は、すべて一方方向に平行に揃えるのではなく、係合素子同士が交差するように備えられている。ここでいう交差するというのは、すべての係合素子を平行になるように同一方向、同一角度に傾斜させるのではないという意味である。交差するということには、図２に示されるように各係合素子の仮想延長線Ｍが相互に交差する場合が含まれる。また、各係合素子同士は直接接触しないことが望ましい。
【００２１】
図３に示すように、第１の実施形態においては、Ｘ方向に相互に並ぶ係合素子４が、交互に交差するように設けられており、Ｙ方向の係合素子同士の位置関係は任意に調整可能である。
【００２２】
係合素子の材質は、適度な弾性を有する材料であれば、特に限定されない。また、係合素子は、合成高分子モノフィラメントで形成されることが好ましい。製造上の点から考慮すると、溶融紡糸可能な熱可塑性高分子が好ましく、ポリオレフィン、ポリアミド、ポリエステルが挙げられる。加工性の点からは、ポリオレフィン、特にポリプロピレンが好ましい。
【００２３】
また、係合素子として合成高分子モノフィラメントを用いる場合、樹脂に対して約０．１〜５重量％のカーボンブラックを配合して耐候性を高めてあることが好ましく、紫外線吸収剤をカーボンブラックの約１／１０量同時に添加しておくと、さらに耐候性が強化される。
【００２４】
［第２の実施形態］
次に、第２の実施形態について図４を参照しつつ説明する。第２の実施形態については、第１の実施形態と同じ部分については説明を省略する。
【００２５】
図４に示すように、第２の実施形態では、係合素子４３、４４は、マッシュルーム形状の係頭部４ａと茎部４ｂとで形成されている。係合素子の頭部に係頭部を設けることにより、面ファスナーの係合力をより向上させることができる。
【００２６】
第２の実施形態では、係頭部はマッシュルーム形状を有するが、本発明はこれに限定されるものではなく、例えば、球状、扁平状などように頭部を膨らませた形状の他、鉤状などの形状に成形されていてもよい。また、断面形状はほぼ円形であることが好適である。断面形状を多角形とする場合には、対称形であることが好適である。
【００２７】
［第３の実施形態］
次に、第３の実施形態について説明する。第３の実施形態については、第１の実施形態と同じ部分については説明を省略する。
【００２８】
第３の実施形態では、係合素子の茎部の形状が略直線であり、係合素子が設けられた基材面に対して６０〜８５度の角度に傾斜している係合素子の割合を、基材面に設けられた係合素子の７０〜１００％となるように設ける。係合素子の割合をこのようにすることにより、面ファスナーの係合力をより向上させることができる。
【実施例】
【００２９】
以下、本発明の実施例を説明するが、本発明は下記実施例に限定されるものではない。
【００３０】
［引っ張り試験］
１．雄面ファスナー
係合素子の基材布に対する傾斜角度が、９０度、８０度、７０度および６０の面ファスナーを、下記のようにしてそれぞれ作製した。
【００３１】
１．雄面ファスナーの製造
ナイロン製織布を基材布として用い、立設するモノフィラメントとして１３００デニールのポリプロピレン糸を用いて、二重パイル織機（２枚の基材布を対向状態で製織する機器）により、経パイル織または綾織りした後、二枚に開反した。エマルジョン系のウレタン樹脂を主成分とする裏面コーティングを施した後、モノフィラメントの先端部分を溶融して、膨頭子体形状を有する係合素子を形成した。
【００３２】
面ファスナーは、その単位面積あたりに存在する係合素子の内約７０％以上の係合素子が上記の傾斜角度を有するように作製した。すなわち、二重パイル織時、製織温度約１６０℃下、モノフィラメントの繰り出し速度をそれぞれ５０、５１、５３、５７ｍｍ／ｍｉｎと調整しながら綾織することで、係合素子の基材布に対する傾斜角度が９０度、８０度、７０度および６０度の雄面ファスナーを作製した。
また、得られた雄面ファスナーのモノフィラメントは、膨頭子体形状の最大直径が１．０〜１．２ｍｍ、膨頭子部分の高さが０．５ｍｍ、膨頭子部分まで含めたモノフィラメント全体の長さが２．１〜２．７ｍｍ、基材布の布地の厚みが０．５ｍｍであった。また、係合素子は、面ファスナーの単位面積あたり約８５％以上の係合素子がそれぞれ上記の傾斜角度を有した。
【００３３】
２．雌面ファスナー
雌面ファスナーとして、ループ状係合素子を基材布一面に設けたものを用いた。ループ高さは約２ｍｍである。
【００３４】
３．評価方法
引っ張り試験機によるＴ型剥離試験（JIS L3416；2000、7.4.2）に従って、上記１．および２．に示した面ファスナーを貼り合わせた場合の係合力（Ｘ）を測定した。係合力（Ｘ）は、５ｃｍ幅の雄および雌面ファスナーを５ｃｍ長係合させて、５ｃｍ角で係合させ、雄および雌面ファスナーのそれぞれの一端部に設けた非係合部を引っ張り試験機のつかみに装着し、引っ張り速度３０ｃｍ／ｍｉｎで相反する方向へ引っ張り、係合させていた５ｃｍ間を剥離させた。係合力は、剥離するときに示す剥離荷重の極大値を多きものから６つ、極小値の小さいものから６つをとり、１２の値の平均値Ｐを求め、剥離荷重の平均値Ｐを、ファスナーの有効幅（本試験の場合５ｃｍ）で割って、幅１ｃｍあたりの剥離強さとして算出した。５組の試験片について測定を行い、その平均値を係合力（Ｘ）として求めた。
【００３５】
結果を表１に示す。表１にから明らかなように、雄面ファスナーの係合素子の傾斜角度によって、係合力が異なることが明らかになった。
【００３６】
【表１】
2005185349.tif 000003
【産業上の利用可能性】
【００３７】
本発明は面ファスナーが利用される分野において有用である。
【図面の簡単な説明】
【００３８】
【図１】本発明の一実施形態例を示す側面図である。
【図２】係合素子の拡大図である。
【図３】本発明の一実施形態例を示す斜視図である。
【図４】本発明の他の実施形態例を示す図である。
【図５】従来の雄面ファスナーおよび雌面ファスナーの組み合わせを示す図である。
【図６】従来の雄面ファスナーに設けられた係合素子を示す図である。
【符号の説明】
【００３９】
１    面ファスナー
３    基材
４、４１、４２、４３、４４    係合素子
４ａ  係頭部
４ｂ  茎部
α  傾斜角度
Ｌ  係合素子の仮想延長線
１００  雄面ファスナー
２００  雌面ファスナー
３００  基材
４００  係合素子
４１０  膨頭子
４２０  茎部
５００  係合素子（ループ状）
【図１】
2005185349.tif 000004
【図２】
2005185349.tif 000005
【図３】
2005185349.tif 000006
【図４】
2005185349.tif 000007
【図５】
2005185349.tif 000008
【図６】
2005185349.tif 000009